(57)【要約】【課題】本発明の目的は、煩雑な操作することなく遠隔操作装置の形態や再生可能な音声情報や動画像情報のデータフォーマットを検出し、この検出結果に基づきテレビ留守番電話機に記憶された音声情報や動画像情報を遠隔地からも視聴を可能にする。【解決手段】ＩＰテレビ電話システムにおける、着信呼に含まれる音声情報及び動画像情報を記録／再生し、遠隔操作機能を備えるテレビ留守番電話機の遠隔操作方法において、前記テレビ留守番電話機と遠隔操作装置間で互いに保持している情報を相互に交換することで、留守番電話設定中の前記テレビ留守番電話機に保存された音声情報や動画像情報のデータフォーマットを意識することなく遠隔から再生可能とする機能を備える。【選択図】  図１
2007208360.tif 000002
【特許請求の範囲】
【請求項１】
ＩＰ（Ｉｎｔｅｒｎｅｔ Ｐｒｏｔｏｃｏｌ）テレビ電話システムにおける着信呼に含まれる所定情報を記録又は再生し、電話機を含む遠隔操作装置からの遠隔操作機能を備えるテレビ留守番電話機の遠隔操作方法において、
前記テレビ留守番電話機と前記遠隔装置間で、互いに保持している前記所定情報のデータフォーマットを含む情報を相互に交換する情報交換ステップと、
前記情報交換ステップで相互に交換した交換情報に基づき、前記テレビ留守番電話機が予め保持している前記所定情報のデータフォーマットを所定のデータフォーマットに変換する変換ステップと、
前記変更ステップで変換された前記データフォーマットに基づいて前記所定情報の記録又は再生を実行する実行ステップとを有することを特徴とするテレビ留守番電話機の遠隔操作方法。
【請求項２】
請求項１におけるテレビ留守番電話機の遠隔操作方法において、
前記情報交換ステップで交換される前記交換情報に基づき、遠隔操作による動作の有効又は無効を設定する操作設定ステップを更に有することを特徴とするテレビ留守番電話機の遠隔操作方法。
【請求項３】
ＩＰテレビ電話システムにおける着信呼に含まれる所定情報を記録又は再生し、電話機を含む遠隔操作装置からの遠隔操作機能を備えるテレビ留守番電話機の遠隔操作システムにおいて、
前記テレビ留守番電話機と前記遠隔装置間で、互いに保持している前記所定情報のデータフォーマットを含む情報を相互に交換する情報交換手段と、
前記情報交換手段で相互に交換した交換情報に基づき、前記テレビ留守番電話機が予め保持している前記所定情報のデータフォーマットを所定のデータフォーマットに変換する変換手段と、
前記変更手段で変換された前記データフォーマットに基づいて前記所定情報の記録又は再生を実行する実行手段とを有することを特徴とするテレビ留守番電話機の遠隔操作システム。
【請求項４】
請求項３におけるテレビ留守番電話機の遠隔操作システムにおいて、
前記情報交換手段で交換される前記交換情報に基づき、遠隔操作による動作の有効又は無効を設定する操作設定手段を更に有することを特徴とするテレビ留守番電話機の遠隔操作システム。
【発明の詳細な説明】
【技術分野】
【０００１】
この発明は、ＩＰ（Ｉｎｔｅｒｎｅｔ Ｐｒｏｔｏｃｏｌ）テレビ電話システムにおける着信呼に含まれる音声情報及び動画像情報を記録又は再生し、電話機を含む遠隔操作装置からの遠隔操作機能を備えるテレビ留守番電話機の遠隔操作方法およびシステムに関する。
【背景技術】
【０００２】
近年、インターネットなどのＩＰネットワークを利用したいわゆるＩＰ電話システムの普及に伴い、音声情報のみならず、例えば、ＭＰＥＧ４（Ｍｏｖｉｎｇ Ｐｉｃｔｕｒｅ Ｅｘｐｅｒｔｓ Ｇｒｏｕｐ ４）等の規格に準拠する動画像情報の通信を同時に行なうことが可能ないわゆるテレビ電話が普及しつつある。さらに、電話機利用者の不在中に着信した着信呼に含まれる発信者の音声情報や動画像情報を記録する、いわゆる留守番電話機能を備えた装置も増えつつある。このような留守番電話機能を備えたテレビ留守番電話機では、予め登録されている着呼電話番号情報を含む暗号鍵と、前記テレビ留守番電話機利用者の不在中に着呼し受信した前記暗号鍵とを比較し、両者が一致した場合のみ前記テレビ留守番電話機の遠隔操作を許可し、遠隔から記録された音声情報や動画像情報の確認を可能とする。さらに、特定の遠隔操作コマンドを検出すると音声情報と動画像情報が同時に記録されていても、動画像情報をミュートし音声情報のみのメッセージとして確認可能とする技術としては、例えば特許文献１及び特許文献２に開示の技術がある。
【特許文献１】特開２００３−９２６４０号公報
【特許文献２】特許第２８４１３８９号
【発明の開示】
【発明が解決しようとする課題】
【０００３】
ところが、前記したような遠隔操作が可能な前記テレビ留守番電話機において、遠隔操作装置の形態に応じ遠隔操作者が音声情報と動画像情報が再生可能か否かを判断し特定の遠隔操作コマンドを投入することにより、動画像情報の再生機能を有していない遠隔操作装置から前記テレビ留守番電話機に記憶されている音声情報と動画像情報再生の操作を行った場合は音声情報中に変調された動画像情報が現れるときに発生する耳障りな再生音を遮断できる反面、前記テレビ留守番電話機に記憶されている音声情報や動画像情報のデータフォーマットと前記遠隔操作装置で再生可能な前記データフォーマットが異なった場合が考慮されておらず、動画像情報再生機能を有する前記遠隔操作装置から前記テレビ留守番電話機に記憶されている音声情報と動画像情報再生の操作を行った場合であっても音声情報中に変調された動画像情報が現れるときに発生する耳障りな再生音の遮断が困難となる。そのため、前記遠隔操作者は前記遠隔操作装置で再生可能な動画像情報形式を予め把握しておかなければならないといった問題点があった。
そこで本発明の目的は、煩雑な操作をすることなく前記遠隔操作装置の形態や再生可能な音声情報や動画像情報のデータフォーマットを検出し、この検出結果に基づき前記テレビ留守番電話機に記憶された音声情報や動画像情報を遠隔地からも視聴を可能にすることを目的とする。
【課題を解決するための手段】
【０００４】
本発明のテレビ留守番電話機の遠隔操作方法は、ＩＰテレビ電話システムにおける着信呼に含まれる所定情報を記録又は再生し、電話機を含む遠隔操作装置からの遠隔操作機能を備えるテレビ留守番電話機の遠隔操作方法において、テレビ留守番電話機と遠隔装置間で、互いに保持している所定情報のデータフォーマットを含む情報を相互に交換する情報交換ステップと、情報交換ステップで相互に交換した交換情報に基づき、テレビ留守番電話機が予め保持している所定情報のデータフォーマットを所定のデータフォーマットに変換する変換ステップと、変更ステップで変換された前記データフォーマットに基づいて前記所定情報の記録又は再生を実行する実行ステップと、更に、情報交換ステップで交換される交換情報に基づき、遠隔操作による動作の有効又は無効を設定する操作設定ステップとから成ることを特徴としている。
【０００５】
本発明のテレビ留守番電話機の遠隔操作システムは、ＩＰテレビ電話システムにおける着信呼に含まれる所定情報を記録又は再生し、電話機を含む遠隔操作装置からの遠隔操作機能を備えるテレビ留守番電話機の遠隔操作システムにおいて、テレビ留守番電話機と遠隔装置間で、互いに保持している所定情報のデータフォーマットを含む情報を相互に交換する情報交換手段と、情報交換手段で相互に交換した交換情報に基づき、テレビ留守番電話機が予め保持している所定情報のデータフォーマットを所定のデータフォーマットに変換する変換手段と、変更手段で変換されたデータフォーマットに基づいて前記所定情報の記録又は再生を実行する実行手段と、更に、情報交換手段で交換される交換情報に基づき、遠隔操作による動作の有効又は無効を設定する操作設定手段とから成ることを特徴としている。
【発明の効果】
【０００６】
発明の効果として、本発明のテレビ留守番電話機の遠隔操作方法およびシステムによれば、テレビ留守番電話機と遠隔装置間で互いに保持している所定情報のデータフォーマットを含む情報を相互に交換し比較結果に基づき遠隔操作による動作の有効又は無効の判断を行い、遠隔操作が有効と判断された場合は相互に交換した交換情報に基づきテレビ留守番電話機が予め保持している所定情報のデータフォーマットを所定のデータフォーマットに変換し遠隔操作装置にて記録又は再生の実行を可能とすることで、遠隔操作をする際のユーザ操作性を向上させる。
【発明を実施するための最良の形態】
【０００７】
本発明によるテレビ留守番電話機の遠隔操作方法およびシステムの実施例を、添付図面を参照して詳細に説明する。
【実施例１】
【０００８】
以下、本発明の実施例について図面を参照して説明する。図１は、本発明の実施の形態であるテレビ留守番電話機の遠隔操作方法およびシステムの概略構成を示す図であり、図２及び図３は記憶部１３に格納されているテーブルの論理的構成を例示する構成図であり、図４は、テレビ留守番電話機の遠隔操作方法およびシステムの動作を示すフローチャートである。
【０００９】
本発明に係るテレビ留守番電話機の遠隔操作方法およびシステムは、テレビ留守番電話機１０、遠隔操作装置２０を公衆回線網３０内に備えている。
前記テレビ留守番電話機１０は、前記遠隔操作装置２０と互いに保持している情報の相互交換を含む全体の制御を行なう制御部１１、ＩＰネットワークを含む公衆回線網からなる回線と前記情報の送受を制御する回線インタフェース１２、遠隔操作を許可する予め設定された前記暗号鍵を情報として整理しておくための暗号鍵テーブル（図２）及び留守番電話機能用メッセージ、着呼し受信した前記暗号鍵と音声情報や動画像情報、前記音声情報及び前記動画像情報を含むデータフォーマットや受信日時を対応付けて１組の情報として多数組みに整理しておくための情報テーブル（図３）を作成し記憶する記憶部１３、前記記憶部１３へ記憶又は読出しを行う情報の符号化又は復号化を行う符号化部１４ａ及び復号化部１４ｂ、それら符号化部１４ａ及び復号化部１４ｂを有し各種情報処理制御を行う情報処理部１４、利用者からの音声信号や動画像信号の入力又は受信した音声信号や動画像信号、操作ガイダンスを出力する入出力部１５からなる機能部を有している。
前記遠隔操作装置２０は、公衆回線網３０に接続可能なソフトフォン２０ａや携帯電話２０ｂ、テレビ電話２０ｃ、ＩＰテレビ電話２０ｄを含む音声情報や動画像情報の受信及びモニタなどへ音声情報信号や動画像情報を出力することが可能な装置であればよい。
【００１０】
次に、係る構成のテレビ留守番電話機の遠隔操作方法およびシステムの動作について図を用いて説明する。尚、図４は本発明の実施例におけるフローチャートである。
前記テレビ留守番電話機１０は、利用者が不在時に着信した着信呼に含まれる発信者の音声情報や動画像情報の記録が可能な留守番電話機能設定時に、前記記憶部１３の前記暗号鍵テーブルに予め記憶されている前記暗号鍵と同一の前記暗号鍵を着呼に際し受信すると、制御部１１は、前記記憶部１３に前記音声情報や前記動画像情報が記憶されているか確認する（ステップＳ１）。
確認の結果、記録されていない場合（ステップＳ１のＮｏ側）、制御部１１は回線インタフェース１２を介して前記記憶部１３に記憶されている前記留守番電話機能用メッセージを前記遠隔操作装置２０に送信し処理を終了する（ステップＢ１）。
確認の結果、記録されている場合（ステップＹｅｓ側）、制御部１１は回線インタフェース１２を介して前記遠隔操作装置２０に対して再生可能な音声情報や動画像情報のデータフォーマット要求信号を送信する（ステップＳ２）。
【００１１】
前記遠隔操作装置２０は前記データフォーマット要求信号の受信に応動し、再生可能な音声情報や動画像情報のデータフォーマット情報を前記テレビ留守番電話機に返送する（ステップＳ３）。
前記テレビ留守番電話機１０は、前記遠隔操作装置２０から返送された前記データフォーマット情報を前記回線インタフェース１２を介し前記制御部１１で受信をする。前記制御部１１は、前記データフォーマット情報と記憶部１３に記憶している前記情報テーブルとを比較参照する（ステップＳ４）。
比較参照の結果、前記データフォーマット情報が異なる場合（ステップＳ４のＹｅｓ側）、制御部１１は前記データフォーマット情報を前記データ処理部１４に送信し、前記記憶部１３に記憶している前記音声情報や前記動画像情報を前記情報処理部１４に送信するよう指示信号を送信する（ステップＳ５）。
前記情報処理部１４は、前記記憶部１３から前記音声情報や前記動画像情報を受信すると、前記復号化部１４ｂにて復号した後、前記制御部１１から受信した前記データフォーマット情報を基に符号化部１４ａにて再復号化する（ステップＳ６）。
そして制御部１１は、再符号化した前記音声情報や前記動画像情報を前記回線インタフェース１２を介し前記遠隔操作装置２０へ送信する（ステップＳ７）
比較参照の結果、前記データフォーマット情報が同じ場合（ステップＳ４のＮｏ側）、制御部１１は前記記憶部１３に記憶している前記音声情報や前記動画像情報を前記回線インタフェース１２を介し前記遠隔操作装置２０へ送信する（ステップＳ７）
【００１２】
前記遠隔操作装置２０は、前記音声情報や前記動画像情報を受信するとモニタやスピーカーなどの出力装置へ前記音声情報や前記動画像情報を出力する（ステップ８）。
【図面の簡単な説明】
【００１３】
【図１】本発明におけるテレビ留守番電話機の遠隔操作方法およびシステムの概略構成図
【図２】記憶部１３に格納されている暗号鍵テーブルの論理的構成を例示する構成図
【図３】記憶部１３に格納されている情報テーブルの論理的構成を例示する構成図
【図４】テレビ留守番電話機の遠隔操作方法およびシステムの動作フローチャート
【符号の説明】
【００１４】
１０…テレビ留守番電話機、１１…制御部、１２…回線インタフェース部、１３…記憶部、１４…情報処理部、１４ａ…符号化部、１４ｂ…復号化部、１５…入出力部、２０…遠隔操作装置、３０…公衆回線網
【図１】
2007208360.tif 000003
【図２】
2007208360.tif 000004
【図３】
2007208360.tif 000005
【図４】
2007208360.tif 000006